(57)【要約】【課題】付着したホコリを容易に確認できる無塵衣を提供する。無塵衣を利用したホコリ監視システムを提供する。【解決手段】少なくとも一部が黒色であることを特徴とする無塵衣である。また、無塵衣からホコリを払うクリーニングルームと、ホコリを払った後に無塵衣に付着している残留ホコリの程度を観測するためにクリーンルームの前に配置した、光源とカメラを備えた暗室と、を有するホコリ監視システムである。【選択図】  図１
2006348407.tif 000002
【特許請求の範囲】
【請求項１】
少なくとも一部が黒色であることを特徴とする無塵衣。
【請求項２】
請求項2記載の無塵衣において、黒色部分が黒色の布を装着したものであることを特徴とする無塵衣。
【請求項３】
請求項１または2記載の無塵衣において、黒色部分の表面に凹凸が少ないことを特徴とする無塵衣。
【請求項４】
請求項１〜３のいずれか１つに記載の無塵衣において、黒色部分の表面の反射が少ない無塵衣。
【請求項５】
無塵衣からホコリを払うクリーニングルームと、
ホコリを払った後に無塵衣に付着している残留ホコリの程度を観測するためにクリーンルームの前に配置した、光源とカメラを備えた暗室と、
を有することを特徴とするホコリ監視システム。
【請求項６】
請求項5記載のホコリ監視システムにおいて、光源にブラックライトを用いることを特徴とするホコリ監視システム。
【請求項７】
請求項5または６記載のホコリ監視システムにおいて、光源が赤外線光源であり、カメラが赤外線カメラであることを特徴とするホコリ監視システム。
【請求項８】
請求項７記載のホコリ監視システムにおいて、光源またはカメラに光学フィルタを備えることを特徴とするホコリ監視システム。
【請求項９】
請求項５〜８のいずれか１つに記載のホコリ監視システムにおいて、前記暗室で、無塵衣の表面に付着したホコリをカメラで撮像し、ホコリ付着の程度とホコリ付着許容度とを比較し、合否の判定を行い、その結果ドアの開閉を制御することを特徴とするホコリ監視システム。
【請求項１０】
請求項９記載のホコリ監視システムにおいて、合否の判定結果を表示し、ホコリの付着の程度がホコリ付着許容度を超えている場合には、警報を出し、ドアを開けないことを特徴とするホコリ監視システム。
【請求項１１】
請求項５〜１０のいずれか1つに記載のホコリ監視システムにおいて、請求項１〜４のいずれか１つに記載の無塵衣を利用することを特徴とするホコリ監視システム。
【発明の詳細な説明】
【技術分野】
【０００１】
本発明は、無塵衣およびホコリ監視システムに関する。
【背景技術】
【０００２】
従来の無塵衣は白色または水色であった。これは清潔感を表すためで、特にクリーン度を向上させる等、機能上必要とされるものではなかった。
【発明の開示】
【発明が解決しようとする課題】
【０００３】
従来の白色または水色の無塵衣は付着しているホコリが見えないため、清潔な感じはするものの、本当にきれいかどうかは全く目で確認できない。したがって汚れたままクリーンルームに入り、ホコリをクリーンルーム内に持ち込み、清浄な雰囲気を汚染していた。
【０００４】
したがって、本発明の目的は、付着したホコリを容易に確認できる無塵衣を提供することにある。
【０００５】
また、本発明の目的は、無塵衣を利用したホコリ監視システムを提供することにある。
【課題を解決するための手段】
【０００６】
前述の目的を達成するために、本発明は、少なくとも一部が黒色であることを特徴とする無塵衣であり、また、本発明は、無塵衣からホコリを払うクリーニングルームと、  ホコリを払った後に無塵衣に付着している残留ホコリの程度を観測するためにクリーンルームの前に配置した、光源とカメラを備えた暗室と、を有することを特徴とするホコリ監視システムである。
【発明の効果】
【０００７】
本発明によれば、付着したホコリを容易に確認できる無塵衣がえられる。また、無塵衣を利用したホコリ監視システムを得られる。
【発明を実施するための最良の形態】
【０００８】
本発明の無塵衣は、少なくとも一部が黒色であり、また、本発明のホコリ監視システムは、無塵衣からホコリを払うクリーニングルームと、ホコリを払った後に無塵衣に付着している残留ホコリの程度を観測するためにクリーンルームの前に配置した、光源とカメラを備えた暗室とを有するものである。
【実施例】
【０００９】
（実施例１）
図１は本発明の実施例１の無塵衣全体を示す正面図である。図１において、無塵衣１０は無塵衣全体が黒色に着色されたものであり、このため、人間の目にも、機械の目にもはっきりとホコリが付着していることが分かる。
（実施例２）
図２は、本発明の実施例２の無塵衣全体を示す正面図である。図2に示すように、無塵衣１０全体ではなく、特にホコリが付着しやすい部位や人間の目やカメラでホコリを読み取りやすい部分のみ部分的に黒色に着色する。また、現状の無塵衣（白色、水色）に追加して部分的に所定の大きさの黒色の布１２を装着することもできる。
【００１０】
前述のいずれの実施例においても、黒色の部分の表面に凹凸が少なく人目にも、カメラの日にも表面に付着したホコリを鮮明に読み取ることができるようにすることが好ましい。大まかな凹凸、即ち衣服の皺が少なく、また繊維の細かな凹凸も少なく、付着したホコリが影に隠れることなく表面に出て、容易に読み取れるようにすることが好ましい。
【００１１】
前述の黒色の部分の表面に反射が少なくし、人目にもカメラの目にも表面に付着したホコリを鮮明に読み取ることができるようにすることが好ましい。衣服の繊維に艶があり、光を反射する場合、付着したホコリが読み取りにくくなる。衣服の生地自身は光を吸収し、付着したホコリのみが照射した光を反射し大きく輝いて見えるようにする。
（実施例３）
図３は、実施例１および２の無塵衣を利用した実施例３のホコリ監視システムを示すブロック図である。図３において、前述の黒色無塵衣１０を用い、クリーンルーム１８に入る前に、エアーシャワーでホコリを払うクリーニングルーム１４で付着したホコリを払い、その後で、なお無塵衣１０に付着、または残留したホコリの多さの程度を観測するため、観測の邪魔になる外乱光を抑える暗室１６を持つ。この暗室１６は遮光率が低くてもよく、ホコリの観測の邪魔にならない程度のものでよい。一般的にクリーンルームの前にクリーニングをする前室が用いられているが、本発明では前室として、または前室とクリーンルームの間に暗室１６の機能も持たせている。
【００１２】
暗室１６では付着しているホコリを浮き立たせるために光源２２にブラックライトを用いる。もちろん各種光源を用い、どんなホコリでも浮き立たせるが、特に洗剤中の蛍光剤が含まれやすい衣服の繊維ホコリ等はブラックライトを当てることにより大変効率よく光り輝くため、ホコリの発見率が向上する。
【００１３】
赤外線光源２２と赤外線カメラ２０を用いることにより無塵衣１０に付着しているホコリを見やすくする。光源２２またはカメラ２０にホコリを見易くする各種光学フィルタ（図示せず）を装備し、各種ホコリに対応することができる。光源２２とフィルタは組み合わせ合わせにより、普段は見えないホコリまで可視化できるため、高度なホコリ監視が可能となる。
【００１４】
本発明では、前述の無塵衣１０の表面の黒色部に付着したホコリをカメラ２０で撮像し、ホコリ付着の程度を表示、及び／又は、あらかじめ決めてあったホコリ付着程度と比較し、多かったら警報を出すホコリ警報システムを有する。
【００１５】
従来は、エアーシャワーで所定時間ホコリを払うだけであるので、クリーンルーム１８を汚染することが多かった。この発明により、従来から問題として取り上げられていた人間のホコリの搬入が確実に抑制される。
（実施例４）
図４は、ホコリ監視システムの制御の流れを示すブロック図である。図4に示すように、暗室１６内で、無塵衣１０に付着したホコリをカメラ２０で撮像する。次に、撮像したデータを信号処理（３０）し、ホコリの計数（３２）を行なう。次に、ホコリ付着許容度（３４）の数とホコリの計数とを比較し、合否の判定（３６）を行なう。その結果を表示（３８）し、ドアの開閉の制御（４０）によりドア２８の開閉を制御する。
【００１６】
合否判定の結果、残留ホコリの程度が多い場合、クリーンルーム１８への入室を拒否することができる。具体的には、ドア２８の開放を拒否し、前進を拒む。これにより、完全なホコリ搬入を防止できクリーンルーム等の清浄度を維持できる。
【図面の簡単な説明】
【００１７】
【図１】本発明の実施例１の無塵衣全体を示す正面図である。
【図２】本発明の実施例２の無塵衣全体を示す正面図である。
【図３】実施例１および２の無塵衣を利用した実施例３のホコリ監視システムを示すブロック図である。
【図４】ホコリ監視システムの制御の流れを示すブロック図である。
【符号の説明】
【００１８】
１０    無塵衣
１２    黒色の布
１４    クリーニングルーム
１６    暗室
１８    クリーンルーム
２０    カメラ
２２    光源
【図１】
2006348407.tif 000003
【図２】
2006348407.tif 000004
【図３】
2006348407.tif 000005
【図４】
2006348407.tif 000006